(57)【要約】【課題】  取り出した吸収性物品が、比較的フラットな状態となり、ショーツ等の衣類への取り付けが容易であり、また、着用中に違和感を生じにくく、漏れ防止効果も高い吸収性物品の個装体を提供すること。【解決手段】  表面層、裏面層及びこれら両層間に介在された吸収層を具備する吸収性物品８が、折り畳まれて個装されている吸収性物品８の個装体であって、吸収層４は、折り畳みによって外側に位置する面に、線状に形成された凹部８を有し、該凹部８は、折り畳みによって形成された折り畳み線Ｌ１〜Ｌ３と略直角に交差している。【選択図】    図２
2006061396.tif 000002
【特許請求の範囲】
【請求項１】
表面層、裏面層及びこれら両層間に介在された吸収層を具備する吸収性物品が、折り畳まれて個装されている吸収性物品の個装体であって、
前記吸収層は、折り畳みによって外側に位置する面に、線状に形成された凹部を有し、該凹部は、折り畳みによって形成された折り畳み線と略直角に交差している、吸収性物品の個装体。
【請求項２】
前記凹部は、一列に並んだ一群の小凹部からなる請求項１記載の吸収性物品の個装体。
【請求項３】
前記凹部は、該凹部が形成される面を前記表面層又は前記裏面層が被覆していない状態下に加圧して形成されたものである請求項１又は２記載の吸収性物品の個装体。
【請求項４】
前記凹部と前記折り畳み線との交差部分において、前記小凹部と該折り畳み線とが重なっている請求項２又は３記載の吸収性物品の個装体。
【請求項５】
前記凹部が、前記吸収層の前記裏面層側の面に形成されている請求項１〜４の何れか記載の吸収性物品の個装体。
【請求項６】
前記吸収性物品は、長手方向の両側に、使用時にショーツ等の着衣に粘着固定されるウイング部を有しており、
着用時に着用者の腹側寄りに配される前方部、左右両側に前記ウイング部を有する排泄部対向部及び着用者の背中寄りに配される後方部を有しており、前記折畳み線として、前記前方部と前記排泄部対向部との境界部付近に第１の折り畳み線、及び前記排泄部対向部と前記後方部との境界部付近に第２の折り畳み線を有している請求項１〜５の何れか記載の吸収性物品の個装体。
【請求項７】
前記凹部が２本以上形成されている請求項１〜６の何れか記載の吸収性物品の個装体。
【請求項８】
前記凹部における、前記小凹部同士間の間隔が１０ｍｍ以下である請求項２〜７の何れか記載の吸収性物品の個装体。
【請求項９】
前記小凹部の大きさが２５ｍｍ2以下である請求項２記載の吸収性物品の個装体。
【請求項１０】
前記吸収性物品の厚みが３．５ｍｍ以下である請求項１〜９の何れか記載の吸収性物品の個装体。
【発明の詳細な説明】
【技術分野】
【０００１】
本発明は、生理用ナプキン、パンティライナー（おりものシート）、失禁パッド等の吸収性物品の個装体に関する。
【背景技術】
【０００２】
生理用ナプキンやパンティライナー等は、携帯のし易さや、衛生的な状態に保つことを目的として、通常、肌側に向けられる面が内側になるようにして、長手方向又は幅方向に２箇所以上で折り曲げられて個装体とされた状態で販売等されている。
生理用ナプキン等の吸収性物品に関する技術として、特許文献１には、吸収性物品の長手方向側方より応力を加えた際に、該吸収性物品を肌当接面側に屈曲させる第１可撓軸と、該吸収性物品を非肌当接面側に屈曲させる第２可撓軸とを設けた吸収性物品が記載されており、同文献１には、第２可撓軸が、非肌当接面側から溝加工して形成された立体溝である実施形態が記載されている。
また、失禁パッド等の吸収性物品として、特許文献２には、液透過性のトップシートと、バックシートと、これら両シート間に設けられた吸収コアとを有する積層体で構成され、該積層体の幅方向中央領域の剛軟度が、該中央領域の両側に位置し且つ吸収性コアが存在している領域の剛軟度よりも高い吸収性物品が記載されており、同文献２には、積層された２層の吸収コアにおける、上層の吸収コアに縦方向に延びる溝を形成すると共に、下層の吸収コアにおける、上層の溝と同じ位置に溝を形成することが記載されている。
【０００３】
【特許文献１】特開平１０−９９３７２号公報
【特許文献２】特開２０００−２２５２３８号公報
【発明の開示】
【発明が解決しようとする課題】
【０００４】
上述したように、個装体中の生理用ナプキン等は、折り畳んだ状態とされているため、生理用ナプキン等を取り出して使用する際に、折りグセが強く残っている場合が多く、それにより、ショーツにうまく取り付けられずに、何度も付け直すことを余儀なくされることがある。また、個装する際に、材料が何層にも重ねられているところで折り曲げられるため、特に深い折りの場合に硬さが生じ、体との間に隙間を作りやすく、フィット性の低下や漏れを生じることがある。
特許文献１には、上述の通り、吸収性物品の非肌当接面側の面に立体溝を形成することが記載されているが、製品中央部のフィット性を向上させ、モレにくさを向上させることを目的とし、製品長手方向の中央部、あるいは、排泄部にエンボスが形成されているため、個装時の折りによる圧縮部分のフィット性を高めることができない。
【０００５】
また、特許文献２記載の吸収性物品においては、溝等の硬軟度強化手段により幅方向中央領域に硬さを付与することにより、吸収性物品のヨレやたくれを防止することが記載されているが、前記硬軟度強化手段により、着用時に違和感が生じる可能性があり、また、中央領域を硬くするため、個装時の折りによる圧縮部分をより硬くしてしまい、装着のしやすさを向上することができない。
【０００６】
従って、本発明の目的は、取り出した吸収性物品が、比較的フラットな状態となり、ショーツ等の衣類への取り付けが容易であり、また、着用中に違和感を生じにくく、漏れ防止効果も高い吸収性物品の個装体を提供することにある。
【課題を解決するための手段】
【０００７】
本発明は、表面層、裏面層及びこれら両層間に介在された吸収層を具備する吸収性物品が、折り畳まれて個装されている吸収性物品の個装体であって、前記吸収層は、折り畳みによって外側に位置する面に、線状に形成された凹部を有し、該凹部は、折り畳みによって形成された折り畳み線と略直角に交差している、吸収性物品の個装体を提供することにより、上記の目的を達成したものである。
【発明の効果】
【０００８】
本発明の吸収性物品の個装体は、取り出した吸収性物品が、比較的フラットな状態となり、ショーツ等の衣類への取り付けが容易であり、また、着用中に違和感を生じにくく、漏れ防止効果も高いものである。
【発明を実施するための最良の形態】
【０００９】
以下、本発明をその好ましい実施形態に基いて説明する。
図１〜図５に示すように、本実施形態の吸収性物品の個装体は、生理用ナプキン１の個装体１０である。
本実施形態の個装体１０における生理用ナプキン１（以下、単にナプキン１ともいう）は、図２及び図４に示すように、表面層としての液透過性の表面シート２、裏面層としての液不透過性の裏面シート３及びこれら両層間に介在された吸収層としての液保持性の吸収体４を具備し、実質的に縦長に形成されている。
ナプキン１は、長手方向の一端部から他端部に向かって順に、着用時に着用者の腹側寄りに配される前方部Ａ、着用者の液排液部に対向配置される排泄部対向部Ｂ及び着用者の背中寄りに配される後方部Ｃを有している。
【００１０】
表面シート２としては、不織布や開孔フィルム等の液透過性のものが用いられる。裏面シート３としては、樹脂フィルム、微細孔を有する樹脂フィルム、撥水不織布等の防漏性のものが用いられる。吸収体４としては、パルプや親水性繊維を用いた繊維集合体、不織布、紙、またこれらに高吸収性ポリマーを配合した液保持性のものが用いられる。
【００１１】
吸収体４並びにその両面（肌対向面及び非肌対向面）を被覆する表面シート２及び裏面シート３は、図４に示すように積層されて、ナプキン１の幅方向中央部に、ナプキン１の長手方向に亘って延びる本体部分１Ａを形成している。
【００１２】
裏面シート３は、吸収体４の長手方向の両側縁よりも幅方向外方に延出し、その延出部分には、撥水性不織布からなるサイドシート５が積層接着されている。この裏面シート３の延出部分及びサイドシート５の該延出部分に積層された部分により、本体部分１Ａの左右両側それぞれにサイドフラップ１Ｓ，１Ｓが形成されている。
サイドフラップ１Ｓは、排泄部対向部Ｂ及び後方部Ｃにおいて、ナプキン１の幅方向に大きく膨らんでおり、排泄部対向部Ｂの両側部に一対のウイング部６，６が形成され、後方部Ｃの両側部に一対の後部フラップ部７，７が形成されている。ナプキン１は、その長手方向において、ウイング部６と後部フラップ部７との境界部付近が細幅に括れている。
【００１３】
図５に示すように、ウイング部６の裏面シート３側の面には、粘着剤が塗布されてウイング部粘着層６１が形成されており、後部フラップ部７の裏面シート３側の面には、粘着剤が塗布されて後部フラップ部粘着層７１が形成されている。
ナプキン１を使用する際には、ウイング部６を折り曲げ、ウイング部粘着層６１を、ショーツ等の衣類の外面（非肌対向面）あるいはショーツ内面に設けられたナプキン装着部の外面等に固定する。また、後部フラップ部７は、着用時にショーツ等の衣類の内面（肌対向面）上に、後部フラップ部粘着層７１を介して粘着固定する。
【００１４】
ナプキン１における表面シート１は、吸収体４と略同一の幅を有しており、サイドシート６は、ナプキン１の幅方向中央側の内側縁６１から所定幅離間した部位（例えば０．５〜２０ｍｍ離間した部位）において、表面シート２と接合されている。表裏面シート２，３は、ナプキンの前後端部において互いに接合され、サイドシート６は、ナプキンの周縁部において、直接又は表面シート２を介在させた形で裏面シート３と接合されている。これらの接合には、ヒートシール、超音波シール、高周波シール、接着剤による接着等の各種公知の手段を単独または組合せて用いることができる。
【００１５】
また、表面シート２、裏面シート３及び吸収体４の形成材料としては、それぞれ、生理用ナプキン等の吸収性物品に従来用いられている各種公知の材料を用いることができる。
例えば、表面シート２としては、エアスルー不織布、ヒートエンボス不織布、スパンボンド不織布の繊維表面を親水化処理したものを、そのままあるいは所定部分を開孔処理したシートを好ましく用いることができ、開孔フィルムも好ましく用いることができる。裏面シート３としては、ポリオレフィン、特に各種密度のポリエチレンをシート化したものが好ましく用いられ、通気性付与のため、無機物を配合して通気用の微細孔処理したポリエチレン製シートや、ＳＭＳのような微細な繊維構造部分を有したシートを単独もしくは複合して用いることができる。また、吸収体４としては、パルプ繊維等の親水性繊維の集合体又はそれに吸水性ポリマーを保持させてなる吸収性コアを、ティッシュへーパーや不織布等からなる通液性の高い被覆シートで被覆してなるもの等を用いることができる。凹部８は、被覆シート上から加圧して形成されたものであっても、被覆シートのない吸収性コアを加圧して形成されたものであっても良い。
【００１６】
本実施形態の個装体１０におけるナプキン１は、図２（ｂ）及び図５に示すように、縦長矩形状の包装材１１と共に長手方向に３回折り曲げられて折り畳まれている。折り畳み線Ｌ１〜Ｌ３は、ナプキン１を長手方向に折り畳むことによって生じる線であり、ナプキン１の幅方向と略平行に延びている。折り畳み線Ｌ１〜Ｌ３は、ナプキン１を長手方向に折り畳む際の折り曲げ点でもある。
本ナプキン１においては、何れの折り畳み線Ｌ１〜Ｌ３においても、ナプキン１は、表面シート２側に折り曲げられている。
【００１７】
ナプキン１における吸収体（吸収層）４は、その両面のうち、折り畳み線Ｌ１〜Ｌ３で折り曲げられ折り畳まれたときに外面側となる裏面シート側の面（外側に位置する面）に、図２（ｂ）に示すように、一列に並んだ一群の小凹部８１，８１・・からなる凹部８を有している。凹部８は、長手方向に延びるように間欠的に配置された一群の小凹部によって形成されているおり、本実施形態においてては小凹部８１の周囲は浅く凹んでいる。
【００１８】
本発明における凹部は、連続線状のものであっても、非連続な小凹部が並んで形成されたものであっても良く、連続線状の凹部では、凹部の深みが複数（例えば、深い凹部と浅い凹部の組合せ）であっても良い。また、凹部は、図７に示すように複数の小凹部８１が集まって形成された線でもよい。
【００１９】
凹部８は、吸収体４の幅を３等分して、該吸収体を、その幅方向に中央部分及びその両側の側部部分に区分したときの左右の側部部分に形成されていることが、吸収性物品の可撓軸としての効果により、製品のヨレ防止の点でより好ましい。
また、各凹部８は、各折り畳み線Ｌ１〜Ｌ３と略直角に交差している。各折り畳み線との交差角度は、折り畳み線Ｌ１〜Ｌ３の折グセを回復しやすくする観点から、直角に交差する場合を９０度としたときに７０〜１１０度であることが好ましく、８０〜１００度であることがより好ましい。
【００２０】
ナプキン１における各凹部８は、吸収体４のみに形成されていることが好ましく、吸収体４を成型する（パルプ繊維の堆積等）際に形成するなどの手段で前記線形状を付与することができるが、折グセの回復のしやすさ、形成の容易さの点から、より好ましくは、吸収体４の裏面シート３側の面に、裏面シート３を被覆しない状態下に加圧形成したものである。裏面シート３で被覆した状態下の吸収体４に、エンボス加工を施した場合には、裏面シート３が、吸収体４内に陥入すると共に、製品の構成部材が密着することにより、使用時に体に沿って湾曲しにくくなり、ナプキン１が硬くなって、使用時に違和感を発生する恐れがある。また、加工時に裏面シートに傷を生じたり、穴があいたりすることで、裏面シートからのモレを発生しやすくする可能性もある。しかしながら、上記不都合が生じなければ、裏面シートとともに形成しても良い。
【００２１】
吸収体４に凹部８を形成するためのエンボス加工は、例えば、以下のようにして行うことができる。即ち、表面シート２と吸収体４とが積層された積層体を、圧搾凹部形成用の多数の凸部を周面に備えたエンボスロール及び該エンボスロールに対向配置されたバックアップロールを備えたエンボス装置の両ロール間に、吸収体４側をエンボスロール側にして挿通し、吸収体４の、後に裏面シート３に被覆される面に凹部８を形成する。この際、エンボスロールには、加圧のみなされているが（エンボスロールの温度は３０〜５０℃程度）、凹部の形状を安定化させるため、エンボスロールの表面温度を９０〜１５０℃程度かけても良い。サイドシート６は、吸収体４と積層する前の表面シート２及び吸収体４と積層した後の表面シート２の何れに接合しても良い。吸収体４と積層した後の接合は、エンボス加工の前後何れであっても良い。
【００２２】
ナプキン１においては、図２（ｂ）に示すように、凹部８と折り畳み線Ｌ１〜Ｌ３それぞれとの交差部分において、凹部８を構成する小凹部としての圧搾凹部８１（エンボス加工によって形成されたものを、以下「圧搾凹部」と表現する）と該各折り畳み線Ｌ１〜Ｌ３とが重なっている。折り畳み線とは、折り畳みにより形成された製品の折れ曲がっている領域全てについてのことであり、この領域に少なくとも凹部８が１ヶ所以上存在していることが好ましく、更にこの領域の頂点部分に凹部８とが重なっていると、個装から製品をよりフラットな状態で取り出すことができるため、装着しやすく、折りくせによって生じる体との隙間を低減でき、フィットしてモレにくくなるのでより好ましい。
【００２３】
図３には、凹部８の一部が拡大して示されている。図３及び図４に示すように、ナプキン１における圧搾凹部８１においては、吸収体４の裏面シート３側の面が表面シート２から離れて窪んでいる。また、圧搾凹部８１における吸収体４の厚みＴａが、凹部８が形成されていない他の部分における吸収体Ｔｂの厚みより小さくなっている。他方、吸収体４の表面シート２側の面は、ほぼ平坦である。但し、圧搾凹部８１を有する部分に対応する表面シート２側の面は凸に隆起、或いは多少窪んでいても良い。折り畳み線Ｌ１〜Ｌ３の折グセをより回復しやすくする観点から、表面シート側からは突出している事が好ましいが、吸収性物品の違和感（肌さわり等）を低減する観点からは、表面シート側は平坦もしくは多少窪んで形成されている事が好ましい。なお、図４における、（ａ）は、図３におけるＩ−Ｉ断面、（ｂ）は、図３におけるＩＩ−ＩＩ断面、（ｃ）は、図３におけるＩＩＩ−ＩＩＩ断面、を各々示している。
【００２４】
圧搾凹部８１における吸収体４の厚みＴａは、凹部８が形成されていない他の部分（凹部８から１ｃｍ以上離れた部分、及び凹部８と構成が同じ部分にて測定）における吸収体４の厚みＴｂの５〜７０％であることが好ましく、より好ましくは１０〜５０％、更に好ましくは２０〜４０％である。圧搾凹部の厚みが厚いと、折グセを回復する効果が弱く、圧搾凹部の厚みが薄いと、吸収体の分断効果が高くなり、液が滞留して液戻りや表面のウエット感が高くなる。特に薄型タイプの吸収体の場合顕著である。
【００２５】
また、凹部８は、図３にあるように深い厚みＴａ部分と浅い厚みＴｂ部分を交互に有するように配置されていることが、折グセを回復し、長手方向へ吸収性物品が曲がって、装着者の身体にフィットする観点から好ましい。この場合、前記厚みＴａは０．１〜２．０ｍｍ、特に０．２〜１．０ｍｍであることがより製品をフラットな状態で取り出りだせる点から好ましく、前記厚みＴｂは、０．３〜３ｍｍ、特に０．３〜１．５ｍｍであることが硬さを生じることなく、凹部の効果を発現させ、フィットして使用感を向上させるの点から好ましい。
【００２６】
このエンボス部の領域は、上記のような効果を発現させるために個装の折曲げ線に略直行するように、少なくとも前後に５ｍｍ以上ずつ存在していることが必要である。更に、エンボス部は、折り曲げ線の前後の領域だけでなく、吸収体の全面に存在することで、製品全体をフラットな状態で取り出すことが可能となり、装着しやすく、折りぐせによって生じる体との隙間を低減でき、フィットしてモレにくくなる。特に厚みが3ｍｍ以下の薄いナプキンについては、より効果的である。
【００２７】
凹部８は、圧搾凹部８１同士間の間隔Ｐ（図３参照）が１０ｍｍ以下であることが好ましく、より好ましくは２〜５ｍｍである。１０ｍｍ以下とすることにより、個装から製品をよりフラットな状態で取り出すことができるため、装着しやすく、折りくせによって生じる体との隙間を低減でき、フィットしてモレにくくなる。尚、間隔Ｐの下限値は、  エンボス部分に硬さを生じることなく、使用時に違和感を生じないため  の観点から２ｍｍ程度である。
【００２８】
また、凹部８は、個々の圧搾凹部８１の大きさが２５ｍｍ2以下であることが好ましく、より好ましくは１０ｍｍ2以下である。２５ｍｍ2以下とすることにより、製品全体に硬さを生じことなく、使用時に違和感を生じない。尚、間隔の下限値は、個装から製品をよりフラットな状態で取り出すことができるため、装着しやすく、折りくせによって生じる体との隙間を低減でき、フィットしてモレにくさ  の観点から  ０．３  ｍｍ2程度である。圧搾凹部８１の大きさは、圧搾凹部８１の圧搾凹部からなる凹部８底部における面積を測定する。
【００２９】
本発明における生理用ナプキン（吸収性物品）は、その厚みが０．５〜３．５ｍｍ、特に１．０〜２．０ｍｍであることが、エンボス処理を施した際にエンボス部分に硬さが生じない観点から好ましい。厚みの下限値は、主として製品全体のヨレにくさの観点からの下限値である。
【００３０】
ナプキン１（吸収性物品）の厚みは、以下のようにして測定することができる。
＜厚み測定方法＞
製品を平らな場所にシワや折れ曲がりがないように静置し、製品の吸収体が配されている領域の上面に、５ｃＮ／ｃｍ2の荷重をかけ、その状態下での厚みを測定する。ナプキン装着時の装着圧は、身体の部位、個人差、状態（座っている・動いている）等により異なるが、股間部中央域（排泄ポイント付近）では、ショーツ等の衣類を着用する以外に外圧がない状態において、無加重〜５ｃＮ／ｃｍ2の荷重となるため、この荷重（５ｃＮ／ｃｍ2）での測定を行なった。本発明における厚みの測定には、ＰＥＡＣＯＣＫ  ＤＩＡＬ  ＵＰＲＩＧＨＴ  ＧＡＵＧＥＳ  Ｒ５−Ｃ（ＯＺＡＫＩ  ＭＦＧ.ＣＯ.ＬＴＤ.製）を用いた。このとき、厚み計先端部と製品の間の測定部分にプレート（厚さ５ｍｍ程度のアクリル板）を配置して、荷重が５ｃＮ/ｃｍ2となるようにプレートの大きさを調整する。プレートの形状は、円形もしくは正方形とした。
【００３１】
ナプキン１においては、各凹部８における圧搾凹部８１と圧搾凹部８１との間に、図４（ｂ）（ｃ）に示すように、それらの圧搾凹部よりも深さの浅い溝８２が形成されている。この溝８２は、この部分がエンボス処理時に直接加圧されて生じたものではなく、圧縮凹部８１を短い間隔で形成したことにより生じたものである。圧搾凹部間にこのような溝８２を有するため、個装の折部分に直接エンボス部分が存在していなくても、個装から製品をよりフラットな状態で取り出すことができる。尚、圧搾凹部８１同士間の溝８２の深さＴｃは、凹部が形成されていない他の部分（凹部から１ｃｍ以上離れた部分にて測定）における吸収体４の厚みＴｂの５〜５０％であることが好ましい。
【００３２】
本実施形態のナプキン１の個装体１０は、例えば以下のようにして得られる。
先ず、図５（ａ）に示すように、縦長矩形状の包装材１１上に、ナプキン１を載置する。図５（ａ）に示す状態においては、ウイング部６及び後部フラップ部７が、本体部分１Ａの両側縁に沿って本体部分１Ａの表面シート２側に折り返されている。ウイング部６及び後部フラップ部７を折り返す工程は、ナプキン１を包装材１１上に載置する前又は後に行うことができる。
【００３３】
また、ウイング部粘着層６１及び後部フラップ部粘着層７１上に剥離シート１２を配置し、各粘着層を、剥離シート１２に剥離可能に粘着させる。これにより、各粘着層は、ナプキンの使用時まで保護される。尚、図５には、剥離シート１２を便宜上透視可能な状態として二点鎖線で示してある。
【００３４】
そして、ナプキン１を、後方部Ｃの後端部寄りの位置において、幅方向に延びる折り畳み線Ｌ３に沿って長手方向に折り曲げる。この１回目の折り曲げによって、ナプキン１の後端部近傍の図中符号Ｄで示す部分が、後方部Ｃにおける、その部分よりも前方部寄りの部分上に積層される。
【００３５】
次いで、図５（ｂ）に示すように、ナプキン１を、排泄部対向部Ｂと後方部Ｃとの境界部付近において、幅方向に延びる折り畳み線（第２折り畳み線）Ｌ２に沿って長手方向に折り曲げる。この２回目の折り曲げにより、図中符号Ｆで示す部分は、符号Ｄで示す部分が積層された状態で折り返されており、図中符号Ｅで示す部分上に積層される。そして、更に、ナプキン１を、その前方部Ａと排泄部対向部Ｂとの境界部付近において、幅方向に延びる折り畳み線（第１折り畳み線）Ｌ１に沿って長手方向に折り曲げる。この３回目の折り曲げにより、図中符号Ｇで示す部分が折り返されて、図中符号Ｅで示す部分上に積層された図中符号Ｆで示す部分上に積層される。
【００３６】
このようにして、ナプキン１は、その長手方向に３回折り曲げられて、コンパクトな形態に折り畳まれる。
そして、このように折り畳まれた状態の生理用ナプキン１の両側縁から幅方向外方に延出する包装材１１の両側部１２を、図１に示すように、エンボス加工等の公知方法により封止すると共に、タブテープ１３を所定箇所に止着することにより、ナプキン１の個装体１０が得られる。
【００３７】
尚、ナプキン１の本体部分１Ａの裏面シート３側の面には、縦長矩形状に粘着剤が塗布されて、ナプキン１をショーツ等の衣類に固定するための本体部分粘着部（図示せず）が形成されている。本体部分１Ａは、本体部分粘着部を介して、包装材１１の剥離処理が施された内面に剥離可能に固定されている。尚、包装材１１の剥離処理は、ナプキン載置面の全域に施されていても良いし、本体部分粘着部に対応する一部にのみ施されていても良い。
【００３８】
本実施形態のナプキン１の個装体１０によれば、ナプキン１の吸収体４における折り曲げ部の外側に位置する面に上記構成の凹部８が形成されているため、個装体を開封してナプキン１を取り出したときに、ナプキン１が比較的フラットな状態になると共に、折り畳み線Ｌ１〜Ｌ３上に位置する部分の表面シート２側面に折りグセによる深い折り溝が形成されにくい。そのため、ナプキン１をショーツ等に容易に固定することができ、また、着用者の肌との間に隙間が生じにくく、肌に対するフィット性や漏れ防止に優れている。
また、凹部が一列に並んだ多数の圧搾凹部からなるため、ナプキン１が硬くなりにくいため、フィットしやすく、違和感のない快適な装着感が得られ、また、漏れ防止効果が一層向上する。
【００３９】
また、本実施形態のナプキン１によれば、前方部Ａと排泄部対向部Ｂとの境界部付近に第１の折り畳み線Ｌ１、及び排泄部対向部Ｂと後方部Ｃとの境界部付近に第２の折り畳み線Ｌ２を有し、そのそれぞれに対して上記構成の凹部８を有するため、最も排泄液がよく吸収されると思われる部分で製品をよりフラットな状態でとりだすことができ、体との隙間も生じにくく、フィットしてモレにくい。また、比較的フラットな状態で取り出すことができるため、製品本体をショーツに貼りつけやすく、ウイングつきの製品形態においては、ウイングを巻き込みやすい。
【００４０】
また、各折り畳み線Ｌ１〜Ｌ３においてナプキン１が表面シート２側に折り曲げられており、各凹部８が、吸収体４の裏面シート３側の面に形成されているため、吸収面を内側にしておりたたまれた個装形態における折りくせによって生じる体との隙間を低減させ、また、ショーツへも製品を貼りつける操作を容易にすることが可能となる  。
【００４１】
また、ナプキン１においては、凹部８が２本形成されているため、  より効果的に製品をフラットな状態で取り出すことができ、また、製品全体が硬くならず体にフィットし、違和感を生じにくい。
しかも、ナプキン１における各凹部８は、吸収体４を、その幅を３等分して中央部分及びその両側の側部部分に区分したときの左右の側部部分に形成されている場合には、  装着時の製品幅方向のヨレを防止することが可能となる。また、ウイングつきの製品の場合には、ウイング基底部に近い部分をフラットな状態に保つことができるので、製品をショーツへ固定する操作性が向上する。
【００４２】
本実施形態の個装体１０のナプキン以外の形成材料としては、生理用ナプキン等の個装体に従来用いられているものを特に制限なく用いることができる。例えば、包装材１１としては、一部又は全域に剥離処理が施された樹脂フィルムや不織布、紙、これらの積層体等を用いることができ、剥離シート１２としては、一部又は全域に剥離処理が施された樹脂フィルムや不織布、紙、これらの積層体等を用いることができる。
【００４３】
本発明の吸収性物品の個装体は、上記の実施形態に制限されるものではなく、本発明の趣旨を逸脱しない範囲において種々変形可能である。
例えば、各折り畳み線におけるナプキンの折り曲げ方向は、上記ナプキン１とは逆方向の裏面シート側への折り曲げであっても良い。その場合、吸収体４の表面シート２側の面に、上述した構成の凹部８を設ける。尚、その場合、該エンボス８は、吸収体４の表面シート２側の面に表面シート２を被覆しない状態で施すことが好ましい。一部の折り畳み線における折り曲げ方向を、上記ナプキン１とは逆方向にしても良い。
また、上記実施形態のナプキン１のように、ナプキン１が折り曲げられている折り畳み線が複数本ある場合、少なくとも一本の折り畳み線について、上述したような構成の凹部８が存在していれば良い。但し、２本以上の折り畳み線について、上述したような凹部８が存在していることが好ましく、特に排泄部対向部の長手方向中央部を挟んでその前後に位置する２本の折り畳み線Ｌ１，Ｌ２について、上述したような凹部８が存在していることが好ましい。
【００４４】
また、凹部８は、直線状のものに限られず、曲線状のものであっても良い。例えば図６（ａ）（ｂ）に示すように円弧状に湾曲したものであっても良く、更にはサインカーブ状をなすようなものであっても良い。また、複数本の凹部８を設ける場合、凹部８を、例えば、図６（ｃ）（ｄ）に示すように、排泄部対向部やそれ以外の部位で交差させても良い。
【００４５】
また、凹部８は、吸収体の略全長にわたって形成されている以外に、図８に示すように、折り畳みにより形成された製品の折れ曲がっている領域のみに形成されていても良い。
また、凹部８は、吸収層に厚み差を設けて形成することもできる。例えば、吸収層を製造する際に、吸収層の一部における構成材料の量を減らして当該部分の厚みを減少させ、当該部分を凹部とすることもできる。
また、圧搾凹部の平面視形状は、略矩形状のものの他、円形、楕円形、長円形、三角形、星形、三日月形等、任意の形状とすることができる。
【００４６】
また、上記実施形態では、ナプキン１を、その長手方向に３回折り曲げて折り畳んでいるが、吸収性物品は、例えば２回（三つ折り）又は４回以上折り曲げられていても良い。また、吸収性物品は、長手方向に代えて幅方向に２回以上折り畳まれていても良い。また、吸収性物品は、ウイング部及び／又は後部フラップ部を有しないものであっても良い。
本発明の吸収性物品は、生理用ナプキンの他、パンティライナー（おりものシート）、失禁パッド等が挙げられる。
【図面の簡単な説明】
【００４７】
【図１】図１は、吸収性物品の個装体の一実施形態としての生理用ナプキンの個装体を示す概略斜視図である。
【図２】図２は、図１の個装体における生理用ナプキンを示す図で、図２（ａ）は表面シート側の面を示す図、図２（ｂ）は裏面シート側の面を裏面シートを一部破断して示す図である。
【図３】図３は、図２（ｂ）に示す凹部の一部を拡大して示す模式平面図である。
【図４】図４は、図２の生理用ナプキンの厚み方向の断面図であり、図４（ａ）は、図３のＩ−Ｉ線に沿う断面、図４（ｂ）は、ＩＩ−ＩＩ線に沿う断面、図４（ｃ）は、図３のＩＩＩ−ＩＩＩに沿う断面を示す図である。
【図５】図５は、図１の個装体の製造工程を示す概略図であり、図５（ａ）は包装材上に生理用ナプキンを載置した状態、図５（ｂ）は包装材と共に生理用ナプキンを長手方向に折り畳む状態を示す図である。
【図６】図６（ａ）〜（ｄ）は、本発明の他の実施形態における生理用ナプキンを示す図である。
【図７】図７は、本発明の更に他の実施形態における凹部の一部を拡大して示す模式平面図である。
【図８】図８は、本発明の更に他の実施形態における生理用ナプキンを示す図である。
【符号の説明】
【００４８】
１  生理用ナプキン（吸収性物品）
２  表面シート（表面層）
３  裏面シート（裏面層）
４  吸収体（吸収層）
５  サイドシート
６  ウイング部
７  後部フラップ部
８  凹部
８１  圧搾凹部（小凹部）
Ｌ１〜Ｌ３  折り畳み線
Ａ    前方部
Ｂ    排泄部対向部
Ｃ    後方部
【図１】
2006061396.tif 000003
【図２】
2006061396.tif 000004
【図３】
2006061396.tif 000005
【図４】
2006061396.tif 000006
【図５】
2006061396.tif 000007
【図６】
2006061396.tif 000008
【図７】
2006061396.tif 000009
【図８】
2006061396.tif 000010